(57)【要約】【課題】キーボード装置の操作キー入力と座標入力装置の座標入力とを併用する際の快適な操作環境を提供すること。【解決手段】情報を出力する表示部を有すると共にその表示部の表示面が座標入力を行う入力面を兼ねる入力装置本体２と、キーボード装置１０１を入力装置本体２の上部の外側に配置させる台座５と、を備える構成とした。【選択図】図８
2007334758.tif 000002
【特許請求の範囲】
【請求項１】
座標入力により入力情報を情報処理装置に伝える座標入力装置であって、
前記情報処理装置からの情報を出力する表示部を有し、当該表示部の表示面が前記座標入力を行う入力面を兼ねる入力装置本体と、
前記入力装置本体に設けられると共に、キー入力により入力情報を前記情報処理装置に伝えるキーボード装置を前記入力装置本体の上部の外側に配置させるキーボード係止部と、を備えたことを特徴とする座標入力装置。
【請求項２】
座標入力により入力情報を情報処理装置に伝える座標入力装置であって、
前記情報処理装置からの情報を出力する表示部を有し、当該表示部の表示面が前記座標入力を行う入力面を兼ねる入力装置本体と、
前記入力装置本体を摺動可能に支持する支持台と、
前記支持台が回動可能に連結されると共に載置面に載置される載置台と、
前記支持台を回動させて前記入力装置本体を前記載置面に対して傾斜させると共に、前記入力装置本体を摺動させて当該入力装置本体の下部を前記載置面に当接させた傾斜状態において、キー入力により入力情報を前記情報処理装置に伝えるキーボード装置を、前記入力装置本体の上部の外側に配置させるキーボード係止部と、を備えたことを特徴とする座標入力装置。
【請求項３】
前記キーボード係止部は、前記入力装置本体又は前記支持台に設けられると共に、前記傾斜状態において、前記キーボード装置が載置される台座からなることを特徴とする請求項２記載の座標入力装置。
【請求項４】
前記台座は、前記支持台に固定されると共に前記傾斜状態で前記入力装置本体の上部の外側に突出することを特徴とする請求項３記載の座標入力装置。
【請求項５】
前記台座は、前記入力装置本体又は前記支持台に対して摺動可能であり、当該台座を摺動させることで前記入力装置本体の上部の外側に突出することを特徴とする請求項３記載の座標入力装置。
【請求項６】
前記入力装置本体又は前記支持台に、前記台座を摺動可能に収納する収納部を設けたことを特徴とする請求項５記載の座標入力装置。
【請求項７】
前記台座の前記キーボード装置が載置される面は、前記入力装置本体の前記表示面と略平行であることを特徴とする請求項３記載の座標入力装置。
【請求項８】
前記台座は、前記キーボード装置が載置される面から前記入力装置本体の前記表示面までの距離が前記キーボード装置の厚みと略同等となるように配置したことを特徴とする請求項７記載の座標入力装置。
【請求項９】
座標入力により入力情報を情報処理装置に伝える座標入力装置と、キー入力により入力情報を前記情報処理装置に伝えるキーボード装置と、を有する情報入力装置であって、
前記座標入力装置は、
前記情報処理装置からの情報を出力する表示部を有し、当該表示部の表示面が前記座標入力を行う入力面を兼ねる入力装置本体と、
前記入力装置本体を摺動可能に支持する支持台と、
前記支持台が回動可能に連結されると共に載置面に載置される載置台と、
前記支持台を回動させて前記入力装置本体を前記載置面に対して傾斜させると共に、前記入力装置本体を摺動させて当該入力装置本体の下部を前記載置面に当接させた傾斜状態において、前記キーボード装置を前記入力装置本体の上部の外側に配置させるキーボード係止部と、を備えたことを特徴とする情報入力装置。
【請求項１０】
前記キーボード係止部は、前記入力装置本体の上部の外側に突出すると共に前記キーボード装置が載置される台座からなり、
前記台座及び前記キーボード装置の一方に嵌合突部を設けると共に、前記台座及び前記キーボード装置の他方に前記嵌合突部が着脱可能に嵌合される嵌合穴を設けたこと特徴とする請求項９記載の情報入力装置。
【発明の詳細な説明】
【技術分野】
【０００１】
本発明は、液晶ディスプレイ等の表示部を有すると共に、その表示部の表示面が座標入力を行う入力面を兼ねる座標入力装置、及びその座標入力装置を備えた情報入力装置に関する。
【背景技術】
【０００２】
従来の、この種の座標入力装置としては、例えば、特許文献１に記載されているようなものがある。特許文献１には、キーボードとディスプレイとを備え、ディスプレイがスタンドに回動自在に支持されて成る情報処理装置に関するものが記載されている。この特許文献１に記載された情報処理装置は、「机上に載置されるベースと該ベースから立設された支持アームとを有するスタンドと、該スタンドの支持アームに回動自在に支持されると共に表示画面を有するディスプレイと、所定の操作キーが設けられたキーボードとを備え、支持アームは上側アーム部と下側アーム部とから成ると共に上側アーム部の上端部にディスプレイを回動自在に支持する上側回動支点部が設けられ下側アーム部の上端部に上側アーム部を回動自在に支持する下側回動支点部が設けられ、支持アームの上側アーム部が下側回動支点部を中心として下側アーム部に対して回動されると共にディスプレイが上側回動支点部を中心として上側アーム部に対して回動されディスプレイによってベースが隠蔽されたときに、スタンドのベースとディスプレイとの間にキーボードをベースに載置した状態で収納する収納空間が形成されるようにした」ことを特徴としている。
【０００３】
このような構成を有する特許文献１に記載の情報処理装置によれば、「キーボードの非使用時に該キーボードを収納空間に収納することができるため、キーボードが机上を不必要に占拠せず省スペース化を図ることができる（段落［０１２３］を参照）」等の効果が期待される。
【特許文献１】特開２００２−７３２１３号公報
【０００４】
この特許文献１に記載された情報処理装置は、ディスプレイを傾斜させて表示画面を斜め上方に向けたときに、スタンドのベースとディスプレイとの間にキーボードを収納可能な収納空間を形成する構成となっていた。そして、ディスプレイを傾斜させた状態において、キーボードをディスプレイの手前側に配置する場合と、キーボードを収納空間に収納する場合とを選択できるようになっていた。
【０００５】
しかしながら、キーボードをディスプレイの手前側に配置する場合と、キーボードを収納空間に収納する場合のどちらの場合においても、キーボードの操作キー入力と表示画面を利用した座標入力とを併用する際に、操作が煩雑になるという問題があった。
【０００６】
即ち、キーボードをディスプレイの手前側に配置する場合（特許文献１の図２８を参照）においては、ディスプレイの表示画面を利用した座標入力を行う際に、キーボードの操作キーを肘等で誤操作してしまうおそれがある。そこで、特許文献１に係る情報処理装置では、キーボードに操作キーの大部分を覆うことが可能なキーボードカバーを設け、座標入力を行う際に操作キーの大部分を覆うようになっていた（特許文献１の図２８を参照）。そのため、ディスプレイの表示画面を利用した座標入力を行う度に、キーボードカバーで操作キーを覆う作業が必要になり、使用者に煩雑な思いをさせるという問題があった。
【０００７】
また、キーボードを収納空間に収納する場合においては、操作キー入力を行う際に、キーボードの所望の操作キーが配置されている側を収納空間の側方から突出させるようになっていた（特許文献１の図３１，図３３等を参照）。そのため、一側の操作キーを操作した後、他側の操作キーを操作するには、キーボードを収納空間の他方の側方から突出させる必要があり、操作キー入力が面倒になるという問題があった。
【０００８】
なお、収納空間の側方からキーボードの全体を突出させ、全ての操作キーを露出してキー操作を行うとも考えられるが、この場合、使用者の姿勢が悪くなり、快適な操作環境を実現することができないという問題が生じる。
【発明の開示】
【発明が解決しようとする課題】
【０００９】
解決しようとする問題点は、ディスプレイを傾斜させた状態において、ディスプレイの手前側及びスタンドのベースとディスプレイとの間の収納空間にキーボードを配置すると、キーボードの操作キー入力とディスプレイの表示画面を利用した座標入力とを併用する際に、操作が煩雑になるという点である。
【課題を解決するための手段】
【００１０】
本発明の座標入力装置は、座標入力により入力情報を情報処理装置に伝える座標入力装置であって、情報処理装置からの情報を出力する表示部を有し、その表示部の表示面が座標入力を行う入力面を兼ねる入力装置本体と、入力装置本体に設けられると共に、キー入力により入力情報を情報処理装置に伝えるキーボード装置を入力装置本体の上部の外側に配置させるキーボード係止部と、を備えたことを最も主要な特徴とする。
【００１１】
また、本発明の情報入力装置は、座標入力により入力情報を情報処理装置に伝える座標入力装置と、キー入力により入力情報を情報処理装置に伝えるキーボード装置と、を有する情報入力装置であって、座標入力装置は、情報処理装置からの情報を出力する表示部を有し、その表示部の表示面が座標入力を行う入力面を兼ねる入力装置本体と、入力装置本体を摺動可能に支持する支持台と、支持台が回動可能に連結されると共に載置面に載置される載置台と、支持台を回動させて入力装置本体を載置面に対して傾斜させると共に、入力装置本体を摺動させてその入力装置本体の下部を載置面に当接させた傾斜状態において、キーボード装置を入力装置本体の上部の外側に配置させるキーボード係止部と、を備えたことを特徴とする。
【発明の効果】
【００１２】
本発明の座標入力装置及び情報入力装置によれば、入力装置本体の上部の外側にキーボード装置を配置することができ、座標入力装置の座標入力とキーボード装置の操作キー入力の併用を快適な操作環境の下で行うことができる。
【発明を実施するための最良の形態】
【００１３】
キーボード装置を入力装置本体の上部の外側に配置させるキーボード係止部を設けることにより、座標入力装置の座標入力とキーボード装置の操作キー入力の併用を快適な操作環境の下で行うことができる座標入力装置及び情報入力装置を、簡単な構成によって実現した。
【００１４】
以下、本発明の座標入力装置及び情報入力装置を実施するための最良の形態について、図面を参照して説明するが、本発明は以下の形態に限定されるものではない。
【００１５】
図１〜図１２は、本発明の実施の形態の例を説明するものである。即ち、図１は本発明の座標入力装置の第１の実施の形態を正面側から見た斜視図、図２は背面側から見た斜視図、図３は右側面図、図４は支持台を回動させて座標入力装置の表示面を斜め上方に向けた状態の斜視図、図５は図４に示す状態の右側面図、図６は図４に示す状態から入力装置本体を前方に摺動させた状態の斜視図、図７は図６に示す状態の右側面図、図８は図６に示す座標入力装置の台座にキーボード装置を載置した状態の斜視図である。
【００１６】
図９は本発明の座標入力装置の第２の実施の形態を背面側から見た斜視図、図１０は図９に示す座標入力装置から台座を引き出した状態の斜視図である。図１１は本発明の情報入力装置の第１の実施の形態を説明する説明図、図１２Ａ〜図１２Ｃは図１１に示す情報入力装置において、座標入力装置の台座に対するキーボード装置の固定を説明する説明図である。
【００１７】
図１に示すように、本発明の座標入力装置の第１の実施の形態を示す座標入力装置１は、パーソナルコンピュータ等の情報処理装置１００に無線又は有線によって接続される。これにより、座標入力装置１は、情報処理装置１００から伝えられた情報を表示する出力装置としての機能と、情報処理装置１００に伝える情報を座標入力によって行う入力装置としての機能を果たすようになっている。
【００１８】
また、情報処理装置１００には、座標入力装置１とは別の入力装置であるキーボード装置１０１が無線又は有線によって接続されている。このキーボード装置１０１は、横長の略長方形をなす中空の筐体１０１Ａを有している。キーボード装置１０１の筐体１０１Ａの上面には、数字キー、文字キー、記号キーを含む各種の操作キー１０１Ｂが設けられており、これら各種の操作キー１０１Ｂを押圧することにより情報が入力される。そして、各種の操作キー１０１Ｂにより入力された情報は、情報処理装置１００に伝えられる。
【００１９】
情報処理装置１００は、縦長の略長方形をなす中空の筐体１００Ａを有している。この筐体１００Ａの内部には、ＣＰＵ（中央演算処理装置）等の処理部が設けられており、この処理部で座標入力装置１及びキーボード装置１０１等によって伝えられた情報の各処理が行われる。また、処理部で処理された情報の一部は、座標入力装置１の表示部２２に表示する情報として出力されるようになっている。
【００２０】
図１〜図８に示すように、本発明の座標入力装置１は、情報処理装置１００から伝えられた情報が表示される表示部２２を有する入力装置本体２と、この入力装置本体２を摺動可能に支持する支持台３と、支持台３が回動可能に連結される載置台４と、キーボード装置１０１を入力装置本体２の上部の外側に配置させるキーボード係止部の一具体例を示す台座５等を備えて構成されている。
【００２１】
座標入力装置１の入力装置本体２は、略長方形の偏平の筐体をなすと共に正面に開口された開口窓２１Ａを有する装置筐体２１と、この装置筐体２１の開口窓２１Ａに取り付けられた表示部２２と、表示部２２の表示面２２Ａ上で指示された位置を座標信号として検出する座標検出部と、座標検出部によって検出された座標信号に基づく座標情報の生成や外部から入力された情報に基づいて表示部２２の表示を制御する制御回路等により構成されている。
【００２２】
入力装置本体２の表示部２２は、表示パネルの一具体例を示す液晶パネルと、この液晶パネルの背面に重ね合わされるバックライトの組合せからなっている。液晶パネルは、装置筐体２１の開口窓２２Ａに見合った横長矩形の平板状をなしており、一方の平面が装置筐体２１の開口窓２２Ａから露出される表示面２２Ａとなっている。バックライトは、液晶パネルに光を供給する光源手段であり、液晶パネルと略同等の大きさの平板状をなしている。このバックライトとしては、例えば、光源に白色ＬＥＤ（Light Emitting Diode）を用いた、いわゆるＬＥＤバックライトや、光源にＥＬ（Electroluminescence）発光体を用いた、いわゆるＥＬバックライト等を挙げることができる。
【００２３】
本実施の形態では、表示部２２の一具体例として、液晶パネルとバックライトの組合せからなる液晶ディスプレイパネルを用いる構成としたが、本発明に係る表示部としては、これに限定されるものではなく、例えば、プラズマディスプレイ、有機ＥＬディスプレイ、表面電界ディスプレイ等を用いることができるものである。
【００２４】
座標検出部は、いわゆる電磁誘導方式の検出部であり、表示部２２の背面に配置されている。この座標検出部は、相対向する面にそれぞれＩＴＯ膜によるループコイル群が設けられた２枚のセンサーガラスと、２枚のセンサーガラス間に介在される透明な絶縁シートを備えている。この座標検出部のループコイル群は、後述する位置指示器１１から発生される磁界に影響されて誘導起電圧を発生するようになっており、これにより、位置指示器１１によって指示された位置を座標信号として検出するようになっている。即ち、座標検出部は、その前面に位置する表示部２２の表示面２２Ａに、位置指示器１１が接近又は押し付けられることにより、位置指示器１１で指示された位置を座標信号として検出するようになっている。
【００２５】
これにより、入力装置本体２に設けた表示部２２の表示面２２Ａは、情報処理装置１００から伝えられた情報を表示する出力面としての機能と、座標入力を行う入力面としての機能を有している。即ち、入力装置本体２は、情報処理装置１００から伝えられた情報に基づく画像、文字及び図等を表示部２２の表示面２２Ａに表示可能である共に、その表示面２２Ａ上で、文字や図等の入力やポインティング操作等が可能となっている。
【００２６】
位置指示器１１は、ペン型に形成されたケース１２と、このケース１２の一方の先端に配置される芯１３と、ケース１２の側面に配置される操作スイッチ１４と、ケース１２の内部に設けられた磁界発生部等を備えて構成されている。位置指示器１１の磁界発生部は、芯１３側に設けられており、この磁界発生部で発生した磁界は、芯１３を入力装置本体２の表示面２２Ａに接近又は押し付けることにより、座標検出部のループコイル群に影響を及ぼすようになっている。また、操作スイッチ１４としては、クリック操作を行うクリックスイッチを挙げることができるが、ドラッグ操作を行うドラッグスイッチその他各種の操作スイッチとすることができるものである。
【００２７】
図２に示すように、装置筐体２１の背面の略中央部には、レール突部２３が設けられている。このレール突部２３は、装置筐体２１の幅方向に延在されていて、支持台３の後述するガイド溝３３に摺動可能に係合される。また、図示しないが、装置筐体２１の下部には、不使用時の位置指示器１１を保持するための指示器ホルダが設けられている。しかしながら、指示器ホルダを設ける位置としては、装置筐体２１の下部に限定されるものではなく、装置筐体２１の側部は勿論、例えば、装置筐体２１とは別部材の支持台３や載置台４に設けることもできるものである。
【００２８】
座標入力装置１の支持台３は、適当な厚みを有する略長方形の板体からなる本体部３１と、この本体部３１に連続する一対の軸受部３２，３２等から構成されている。この支持台３には、装置筐体２１のレール突部２３が摺動可能に係合されるガイド溝３３が設けられている。図３に示すように、支持台３のガイド溝３３は、本体部３１の２つの短辺と一対の軸受部３２，３２にそれぞれ連続して略垂直に立ち上がる一対の突条部３５、３５を設けることにより形成されている。
【００２９】
このような支持台３上を摺動可能な入力装置本体２は、図示しないロック部により、装置筐体２１の下端部が支持台３の本体部３１の下部に対向した位置で固定されるようになっている。そして、支持台３に設けられた図示しないロック解除ボタンを押圧することにより、支持台３に対する入力装置本体２の固定が解除されるようになっている。このようなロック部は、例えば、支持台３のガイド溝３３の表面から突出すると共にロック解除ボタンを押圧することで支持台３の内部に収納可能な可動突起を設け、ガイド溝３３の表面から突出した可動突起に係合する係合孔を装置本体２のレール突部２３に設けることにより構成することができる。
【００３０】
図３等示すように、座標入力装置１の載置台４は、机上等の載置面６に載置されるベース部４１と、このベース部４１の上面に連続して略垂直に突出する軸受突部４２等を備えて構成されている。図２等に示すように、載置台４のベース部４１は、横長の略長方形の板体からなり、長辺の長さが装置筐体２１の長辺の長さよりも少々長く設定されている。
【００３１】
載置台４の軸受突部４２は、横長の略直方体状をなしていて、上面が円弧状に湾曲されて形成されている。この軸受突部４２を支持台３の一対の軸受部３２，３２の間に介在させ、これら軸受突部３２及び一対の軸受部３２，３２に回動軸４４を貫通させることにより、載置台４と支持台３が回動可能に連結されている。また、回動軸４４には、軸受突部４２と軸受部２２との間に摩擦抵抗を生じさせるばね部材（例えば皿ばね、コイルばね等）が介在されており、そのばね部材のばね力により、載置台４に対して支持台３を任意の傾斜角度で保持できるようになっている。
【００３２】
これにより、座標入力装置１は、図１等に示す入力装置本体２の表示面２２Ａを前方に対向させた状態と、図４等に示す表示面２２Ａを斜め上方に向けた状態と、それらの中間の状態とを任意に取ることができる。また、座標入力装置１は、図４等に示す状態から支持台３を更に回動させて、入力装置本体２の表示面２２Ａを上方に向けた状態にすることもできる。
【００３３】
図２等に示すように、支持台３の本体部３１には、台座５が設けられている。この台座５は、入力装置本体２の表示面２２Ａに略平行に延在されていて、その平面形状がコ字状をなしている。即ち、台座５は、本体部３１の上面から略垂直に延在される一対のアーム部５１，５１と、それら一対のアーム部５１，５１の本体部３１と反対側の端部を連結する連結部５２等から構成されている。
【００３４】
この台座５は、キーボード装置１０１を入力装置本体２の上部の外側に配置させるために設けたものである。図６等に示すように、支持台３を回動させて表示面２２Ａが斜め上方を向くように入力装置本体２を傾けると共に、その入力装置本体２を支持台３のガイド溝３３に沿って下方へ摺動させることにより、台座５が入力装置本体２の上部の外側に突出される。そして、台座５にキーボード装置１０１を載置することにより、キーボード装置１０１が入力装置本体２の上部の外側に配置される。
【００３５】
台座５のキーボード装置１０１が載置される面は、入力装置本体２の表示面２２ａに対してキーボード装置１０１の厚みと略同等の距離だけ離間されている。これは、台座５に載置されたキーボード装置１０１の上面（複数の操作キー７が配置されている面）を、入力装置本体２の表示面２２Ａと略同等の高さにするためである。
【００３６】
また、台座５の連結部５２には、カバー部材５５が取り付けられている。このカバー部材５５は、例えば、摩擦抵抗の大きいゴムや合成樹脂等により形成されていて、台座５に載置されたキーボード装置１０１の滑り止めとなっている。なお、台座５は、入力装置本体２の上部の外側に突出した状態において、座標入力装置１を持ち運ぶ際の把持部として用いることもできる。その際、カバー部材５５を取り付けた連結部５２は、把持する手を滑り難くするグリップとなる。
【００３７】
上述したような構成を有する座標入力装置１は、例えば、次のようにして入力装置本体２の上部の外側にキーボード装置１０１を配置することができる。座標入力装置１は、入力装置本体２の表示面２２Ａを前方に対向させた図１等に示す状態（以下「垂直状態」という。）にすることができる。また、座標入力装置１は、入力装置本体２を載置面６に対して傾けると共にその入力装置本体２の下部を載置面６に当接させた図６等に示す状態（以下「傾斜状態」という。）にすることができ、この状態でキーボード装置１０１を載置することができる。
【００３８】
まず、座標入力装置１の垂直状態について説明する。座標入力装置１の垂直状態は、支持部３を載置台４に対して略垂直にすることにより、入力装置本体２の表示面２２Ａを前方に対向させた状態である。このとき、座標入力装置１の支持部３を回動させて適当な角度に調節することにより、入力装置本体２の表示面２２Ａを使用者の視線に合わせた角度に設定することができる。
【００３９】
座標入力装置１を、図１等に示す垂直状態から図６等に示す傾斜状態にするには、まず、入力装置本体２を支持する支持部３を後方へ倒すように回動させる。これにより、入力装置本体２が載置面６に対して傾斜した状態となり、その表示面２２Ａが斜め上方を向く。
【００４０】
次に、支持台３の図示しないロック解除ボタンを押圧して支持台３に対する入力装置本体２の固定を解除する。そして、入力装置本体２を支持台３のガイド溝３３に沿って摺動させ、入力装置本体２の下部を載置面６に当接させる。これにより、座標入力装置１を傾斜状態にすることができる。このように、座標入力装置１を傾斜状態にすることにより、使用者は、机上で紙に文字や図を書くような感覚で座標入力操作を行うことができ、能率よく座標入力を行うことができる。
【００４１】
座標入力装置１を傾斜状態にすると、図６及び図７に示すように、入力装置本体２の上端部の外側に台座５が突出される。そして、図８に示すように、突出した台座５にキーボード装置１０１を載置する。これにより、キーボード装置１０１を入力装置本体２の上部の外側に配置することができる。
【００４２】
このように、入力装置本体２の上部の外側にキーボード装置１０１を配置することで、座標入力装置１の座標入力操作を行う際に、キーボード装置１０１に設けられた操作キー１０１Ｂの肘等による誤操作を防止することができる。しかも、キーボード装置１０１は、複数の操作キー１０１Ｂの全てが露出された状態で配置されているため、それら複数の操作キー１０１Ｂを容易に操作することができる。これにより、使用者は、座標入力装置１の座標入力操作とキーボード装置１０１のキー入力操作との併用を、快適な操作環境の下で行うことができる。
【００４３】
更に、台座５に載置されたキーボード装置１０１の上面が、入力装置本体２の表示面２２Ａと略同じ高さになるため、使用者は、座標入力装置１の座標入力操作とキーボード装置１０１のキー入力操作との切り替えを円滑、且つ、迅速に行うことができる。
【００４４】
本実施の形態では、台座５を支持台３に固定する構成としたが、本発明に係る台座としては、これに限定されるものではない。例えば、台座を支持台３で摺動させる構成にしたり、支持台３に収納部を設け、その収納部に台座が摺動可能に収納される構成にしたりすることもできるものである。また、本発明に係る台座の形状としては、枠状に限定されるものではなく、例えば、板状に形成してもよい。
【００４５】
図９及び図１０は、本発明の座標入力装置の第２の実施の形態を示すものである。この座標入力装置６１は、台座６５を装置筐体２１の内部に収納可能に構成したもので、この座標入力装置６１が第１の実施の形態の座標入力装置１と異なるところは、本発明に係る台座の第２の具体例を示す台座６５のみである。そのため、ここでは、台座６５のみを説明し、第１の実施の形態と共通する部分には同一の符号を付して重複した説明を省略する。
【００４６】
図１０に示すように、座標入力装置６１の台座６５は、略コ字状をなしており、相対向する一対のアーム部６６，６６と、これら一対のアーム部６６，６６の対応する一端を連結する連結部６７から構成されている。台座６５の一対のアーム部６６，６６は、装置筐体２１の上部に設けた収納部に摺動可能に収納される。これにより、台座６５は、入力装置本体２の収納部に収納された図９に示す状態と、入力装置本体２の上部の外側に突出された図１０に示す状態とを取ることが可能になっている。
【００４７】
また、台座６５は、第１の実施の形態の台座５と同様に、入力装置本体２の表示面２２Ａ（正面）に略平行に延在されている。これにより、台座６５に載置されたキーボード装置１０１の上面は、入力装置本体２の表示面２２Ａと略平行に延在されるようになっている。
【００４８】
このような構成を有する座標入力装置６１においても、第１の実施の形態の座標入力装置１と同様に、傾斜状態にして台座６５にキーボード装置１０１を載置することができる。これにより、キーボード装置１０１を入力装置本体２の上部の外側に配置することができ、使用者は、座標入力装置１の座標入力操作とキーボード装置１０１のキー入力操作との併用を、快適な操作環境の下で行うことができる。
【００４９】
本実施の形態では、台座６５を入力装置本体２の収納部に摺動可能に収納される構成としたが、これに限定されるものではない。例えば、台座６５を入力装置本体２の背面上で摺動させる構成にしたり、台座６５を入力装置本体２の上部から突出させた状態で固定する構成にしたりすることもできるものである。また、本発明に係る台座としては、板状に形成してもよい。
【００５０】
また、座標入力装置の第１の実施の形態及び第２の実施の形態では、支持台３及び載置台４を設けることにより、入力装置本体２の姿勢を変更可能に構成したが、これに限定されるものではない。即ち、本発明に係る座標入力装置としては、支持台３及び載置台４を設けずに入力装置本体２を載置面６に直接載置する構成とすることができるものである。その際、キーボード装置を入力装置本体の上部の外側に配置させるキーボード係止部としては、例えば、第２の実施の形態の台座６５を適用することができる。
【００５１】
図１１及び図１２は、本発明の情報入力装置の第１の実施の形態を説明する説明図である。この情報入力装置７０は、座標入力装置の第２の実施の形態を示す座標入力装置６１と、この座標入力装置６１に設けられた台座６５に固定可能なキーボード装置７２等を備えて構成されている。そのため、ここでは、キーボード装置７２のみを説明し、座標入力装置６１の説明を省略する。
【００５２】
図１１に示すように、キーボード装置７２は、横長の略長方形をなす中空の筐体７２Ａを有している。この筐体７２Ａの上面には、数字キー、文字キー、記号キーを含む各種の操作キー７２Ｂが設けられており、下面には、嵌合突部７２Ｃが設けられている。キーボード装置７２の嵌合突部７２Ｃは、座標入力装置６１の台座６５と装置筐体２１によって形成される嵌合穴の一具体例を示す枠穴６８に見合った大きさに設定されている。そして、嵌合突部７２Ｃを枠穴６８に嵌合させることにより、キーボード装置７２が台座６５に固定される。
【００５３】
また、筐体７２Ａの厚みは、台座６５の上面から入力装置本体２の表示面２２Ａまでの距離と略同一に設定されている。これにより、台座６５にキーボード装置７２を固定した際に、そのキーボード装置７２の上面が、入力装置本体２の表示面２２Ａと同等の高さに位置するようになっている。
【００５４】
上述したような構成を有する情報入力装置７０によれば、例えば、次のようにして座標入力装置６１の一部を構成する入力装置本体２の上端部の外側にキーボード装置７２を配置することができる。まず、座標入力装置の第１の実施の形態を示す座標入力装置１と同様の手順により、座標入力装置６１を、図１２Ａに示すような傾斜状態にする。次に、図１２Ｂに示すように、台座６５の一対のアーム部６６，６６を装置筐体２１の内部から引き出して、台座６５を装置筐体２１の上端部から突出させる。このとき、図１１に示すように、装置筐体２１と、この装置筐体２１から突出した台座６５によって枠穴６８が形成される。
【００５５】
続いて、図１２Ｃに示すように、台座６５にキーボード装置７２を固定する。即ち、キーボード装置７２の嵌合突部７２Ｃを枠穴６８に嵌合させる。これにより、入力装置本体２の上部の外側にキーボード装置７２を配置することができる。その結果、使用者は、座標入力装置６１の座標入力操作とキーボード装置７２のキー入力操作との併用を、快適な操作環境の下で行うことができる。
【００５６】
また、台座６５にキーボード装置７２を固定するため、キーボード装置７２に外力が加わっても、そのキーボード装置７２が台座６５上でずれることがなく、操作キー７２Ｂの操作感を良くすることができる。更に、キーボード装置７２を台座６５に固定した際、キーボード装置７２の上面が入力装置本体２の表示面２２Ａと略同じ高さになるため、使用者は、座標入力操作とキー入力操作との切り替えを円滑、且つ、迅速に行うことができる。
【００５７】
本発明は、前述しかつ図面に示した実施の形態に限定されるものではなく、その要旨を逸脱しない範囲内で種々の変形実施が可能である。例えば、前記実施例においては、座標検出部として電磁誘導方式を適用した例について説明したが、静電結合方式、感圧方式、レーザ方式その他の座標検出方式にも適用できるものである。また、上述した感圧方式等を適用した際には、位置指示器を使用せず指等によって座標入力操作を行ってもよい。
【００５８】
更に、前記実施例においては、キーボード装置を入力装置本体の上部の外側に配置させるキーボード係止部としてキーボード装置を載置する台座を適用した例について説明したが、例えば、キーボード装置を上下方向や左右方向から挟んで支持する挟持部材、キーボード装置と係合可能な係合部（例えば、キーボード装置の２つの短辺にそれぞれ係合する係合溝）を有する係合部材、その他キーボード装置を支持する各種の部材を適用することもできるものである。
【図面の簡単な説明】
【００５９】
【図１】本発明の座標入力装置の第１の実施の形態と、情報処理装置及びキーボード装置とを正面側から見た斜視図である。
【図２】図１に示す座標入力装置を背面側から見た斜視図である。
【図３】図１に示す座標入力装置の右側面図である。
【図４】図１に示すレンズ装置の支持台を回動させて入力装置本体の表示面を斜め上方に向けた状態の斜視図である。
【図５】図４に示す座標入力装置の右側面図である。
【図６】図４に示す座標入力装置の入力装置本体を前方に摺動させて、座標入力装置を傾斜状態とした斜視図である。
【図７】図６に示す座標入力装置の右側面図である。
【図８】図６に示す座標入力装置の台座にキーボード装置を載置した状態の斜視図である。
【図９】本発明の座標入力装置の第２の実施の形態を背面側から見た斜視図である。
【図１０】図９に示す座標入力装置の台座を引き出した状態の斜視図である。
【図１１】本発明の情報入力装置の第１の実施の形態を説明する説明図である。
【図１２】図１１に示す情報入力装置において、座標入力装置に対するキーボード装置の固定を説明する説明図であり、図１２Ａは座標入力装置の傾斜状態を表す説明図、図１２Ｂは座標入力装置の台座を引き出した状態を表す説明図、図１２Ｃは座標入力装置にキーボード装置を固定した状態を表す説明図である。
【符号の説明】
【００６０】
１，６１…座標入力装置、  ２…入力装置本体、  ３…支持台、  ４…載置台、  ５，６５…台座（キーボード係止部）、  １１…位置指示器、  ２１…装置筐体、  ２１Ａ…開口窓、  ２２…表示部、  ２２Ａ…表示面、  ２３…レール突部、  ３１…本体部、  ３２…軸受部、  ３３…ガイド溝、  ３５…突条部、  ４１…ベース部、  ４２…軸受突部、  ４４…回動軸、  ５１，６６…アーム部、  ５２，６７…連結部、  ５５…カバー部材、  ６８…枠穴（嵌合穴）、  ７０…情報入力装置、  ７２，１０１…キーボード装置、  ７２Ａ，１０１Ａ…筐体、  ７２Ｂ，１０１Ｂ…操作キー、  ７２Ｃ…嵌合突部、  １００…情報処理装置
【図１】
2007334758.tif 000003
【図２】
2007334758.tif 000004
【図３】
2007334758.tif 000005
【図４】
2007334758.tif 000006
【図５】
2007334758.tif 000007
【図６】
2007334758.tif 000008
【図７】
2007334758.tif 000009
【図８】
2007334758.tif 000010
【図９】
2007334758.tif 000011
【図１０】
2007334758.tif 000012
【図１１】
2007334758.tif 000013
【図１２】
2007334758.tif 000014